(57)【要約】【課題】利便性に優れた案内板装置を実現可能な携帯端末、情報取得方法及びプログラムを提供する。【解決手段】携帯端末１０は、案内図が表された案内板２０ａ又は６０ａを有し、インターネット４０に接続された案内板装置２０又は６０と通信可能な携帯端末であり、案内図を撮像し、案内図の画像を案内板画像として取得する撮像部１８と、案内板装置２０又は６０を介して、案内板画像に対応付けられたＵＲＬから、案内図に表れた情報と案内図に表れていない情報とを含む、案内図とは異なる画像を表示画像として取得する画像取得部１７と、画像取得部１７により取得された表示画像を表示するユーザＩ／Ｆ部１６とを備える。【選択図】図２
2015177203.tif 000002
【特許請求の範囲】
【請求項１】
案内図が表された案内板を有し、インターネットに接続された案内板装置と通信可能な携帯端末であって、
前記案内図を撮像し、前記案内図の画像を案内板画像として取得する撮像部と、
前記案内板装置を介して、前記案内板画像に対応付けられたＵＲＬ（Ｕｎｉｆｏｒｍ  Ｒｅｓｏｕｒｃｅ  Ｌｏｃａｔｏｒ）から、前記案内図に表れた情報と前記案内図に表れていない情報とを含む、前記案内図とは異なる画像を表示画像として取得する画像取得部と、
前記画像取得部により取得された前記表示画像を表示するユーザＩ／Ｆ部とを備える
携帯端末。
【請求項２】
案内図が表された案内板を有し、インターネットに接続された案内板装置と通信可能な携帯端末による情報取得方法であって、
前記案内図を撮像し、前記案内図の画像を案内板画像として取得する撮像ステップと、
前記案内板装置を介して、前記案内板画像に対応付けられたＵＲＬから、前記案内図に表れた情報と前記案内図に表れていない情報とを含む、前記案内図とは異なる画像を表示画像として取得する画像取得ステップと、
前記画像取得ステップで取得された前記表示画像を表示する表示ステップとを含む
情報取得方法。
【請求項３】
前記画像取得ステップでは、前記案内板画像と、ＵＲＬとが関連付けられた対応テーブルに基づいて、前記撮像ステップで得られた前記案内板画像に対応付けられたＵＲＬから前記表示画像を取得する
請求項２に記載の情報取得方法。
【請求項４】
前記情報取得方法は、さらに、表示する前記表示画像における文字をいずれの言語とするかの入力を受け付ける受け付けステップを含み、
前記画像取得ステップでは、前記案内板画像と、前記言語と、ＵＲＬとが関連付けられた対応テーブルに基づいて、前記受け付けステップにおいて入力された言語と、前記案内板画像とに対応付けられたＵＲＬから前記表示画像を取得する
請求項２に記載の情報取得方法。
【請求項５】
請求項２~４のいずれか１項に記載の情報取得方法をコンピュータに実行させる
プログラム。
【発明の詳細な説明】
【技術分野】
【０００１】
本発明は、携帯端末、情報取得方法及びプログラムに関し、特に案内板装置の案内板の案内図の画像に基づいて携帯端末に画像を表示させる携帯端末、情報取得方法及びプログラムに関する。
【背景技術】
【０００２】
従来から、地図、又は各種施設の場所を示す標識等の案内図（現在位置、通り名又は周辺施設等が描かれた図）が表面に設けられた案内板を備える案内板装置が、大型施設内、街角又は駅前等に設置されている。そして、このような案内板装置を参考にして、目的とする施設や場所に向かうことが行われている。
【０００３】
また、近年では、携帯電話機、スマートフォン、タブレット端末及びノートパソコン等の可搬式の携帯端末が普及してきており、このような携帯端末を利用して、案内図に表れていない情報を案内板装置から取得することが行われている。例えば、特許文献１に記載の電子案内板システムにおいては、案内図として掲載された地図の所定の座標に微弱電波送受信器が配置されている。そして、携帯電話機の通信用非接触ＩＣチップをこの微弱電波送受信器に近付けることで、地図の所定の座標に関する詳細な情報が携帯電話機に表示される。
【先行技術文献】
【特許文献】
【０００４】
【特許文献１】特開２０１０−１７６６２１号公報
【発明の概要】
【発明が解決しようとする課題】
【０００５】
ところで、従来の電子案内板システムにおいては、地図の各座標に微弱電波送受信器を設け、各座標の詳細な情報を個別に取得している。従って、地図全体について案内図に表れていない情報を一度に取得すること等もできず、利便性の低いものとなっている。その結果、例えば案内板装置のユーザが案内図に記載された言語を母国語としないものである場合、ユーザは自身の母国語で案内図全体を見ることを望むが、これに対応することも困難である。
【０００６】
また、従来の電子案内板システムは、整備費が高価であり、整備費として例えば百〜数千万の費用を必要とし、さらに、電気及びシステム両面の維持管理も必要となる。従って、安価な案内板装置が望まれている。
そこで、本発明は、かかる問題点に鑑み、利便性に優れた案内板装置を実現可能な携帯端末、情報取得方法及びプログラムを提供することを第１の目的とする。
また、安価な案内板装置を実現可能な携帯端末、情報取得方法及びプログラムを提供することを第２の目的とする。
【課題を解決するための手段】
【０００７】
上記目的を達成するために、本発明の一態様に係る携帯端末は、案内図が表された案内板を有し、インターネットに接続された案内板装置と通信可能な携帯端末であって、前記案内図を撮像し、前記案内図の画像を案内板画像として取得する撮像部と、前記案内板装置を介して、前記案内板画像に対応付けられたＵＲＬ（Ｕｎｉｆｏｒｍ  Ｒｅｓｏｕｒｃｅ  Ｌｏｃａｔｏｒ）から、前記案内図に表れた情報と前記案内図に表れていない情報とを含む、前記案内図とは異なる画像を表示画像として取得する画像取得部と、前記画像取得部により取得された前記表示画像を表示するユーザＩ／Ｆ部とを備えることを特徴とする。
【０００８】
また、本発明の一態様に係る情報取得方法は、案内図が表された案内板を有し、インターネットに接続された案内板装置と通信可能な携帯端末による情報取得方法であって、前記案内図を撮像し、前記案内図の画像を案内板画像として取得する撮像ステップと、前記案内板装置を介して、前記案内板画像に対応付けられたＵＲＬから、前記案内図に表れた情報と前記案内図に表れていない情報とを含む、前記案内図とは異なる画像を表示画像として取得する画像取得ステップと、前記画像取得ステップで取得された前記表示画像を表示する表示ステップとを含むことを特徴とする。
【０００９】
ここで、前記画像取得ステップでは、前記案内板画像と、ＵＲＬとが関連付けられた対応テーブルに基づいて、前記撮像ステップで得られた前記案内板画像に対応付けられたＵＲＬから前記表示画像を取得してもよい。
【００１０】
また、前記情報取得方法は、さらに、表示する前記表示画像における文字をいずれの言語とするかの入力を受け付ける受け付けステップを含み、前記画像取得ステップでは、前記案内板画像と、前記言語と、ＵＲＬとが関連付けられた対応テーブルに基づいて、前記受け付けステップにおいて入力された言語と、前記案内板画像とに対応付けられたＵＲＬから前記表示画像を取得してもよい。
【００１１】
なお、本発明は、このような携帯端末及び情報取得方法として実現することができるだけでなく、その情報取得方法をコンピュータに実行させるプログラム、そのプログラムを格納する記録媒体、その情報取得方法を実行する集積回路としても実現することができる。
【発明の効果】
【００１２】
本発明によれば、利便性に優れた案内板装置を実現可能な携帯端末、情報取得方法及びプログラムを実現することができる。
【図面の簡単な説明】
【００１３】
【図１】本発明の実施形態に係る案内板システムの全体構成を示す図である。
【図２】本発明の本実施形態に係る案内板システムの構成を示すブロック図である。
【図３】本発明の実施形態に係る対応テーブルを示す図である。
【図４】本発明の実施形態に係る案内板システムの動作を説明するためのフローチャートである。
【図５】本発明の実施形態に係る案内板システムの動作を説明するための図である。
【図６】本発明の実施形態に係る案内板システムの動作を説明するための図である。
【発明を実施するための形態】
【００１４】
以下、本発明の実施形態について、図面を用いて詳細に説明する。
本発明の実施形態に係る案内板システムの構成について、図１〜３を用いて説明する。
図１は、本実施形態に係る案内板システムの全体構成を示す図である。
【００１５】
案内板システムは、案内板装置２０又は６０の案内板２０ａ又は６０ａの案内図がユーザの視覚を通じて直接的に示す案内情報とは異なる情報であり、かつ、この案内情報に含まれていない情報を含む情報を、携帯端末１０を通じてユーザに提供するためのシステムである。案内板システムは、インターネット４０と、インターネット４０に接続された案内板装置２０又は６０と、案内板装置２０又は６０と通信可能な携帯端末１０とから構成されている。
【００１６】
携帯端末１０は、携帯電話機、スマートフォン、タブレット端末及びノートパソコン等の可搬式の情報通信端末であり、案内板装置２０又は６０を介してインターネット４０に接続可能である。本実施形態では、携帯端末１０はスマートフォンである。
【００１７】
案内板装置２０は、周辺の地図が案内図として表示された案内板２０ａと、無線ルータとを備えている。案内板２０ａの案内図は、ユーザが視覚を通じて直接的に認識可能な状態で周辺の地図を示している。無線ルータは、公衆回線網であるインターネットと無線ＬＡＮ（Ｌｏｃａｌ  Ａｒｅａ  Ｎｅｔｗｏｒｋ）とのゲートウェイ装置であり、通信路である無線ＬＡＮを介して携帯端末１０と通信することで、携帯端末１０とインターネット４０との通信を可能にしている。本実施形態では、案内板２０ａは、日本語で地名などが表された大阪の地図を示している。
【００１８】
案内板装置６０は、周辺の施設の所在地を示す標識が案内図として表示された案内板６０ａと、無線ルータとを備えている。案内板６０ａの案内図は、ユーザが視覚を通じて直接的に認識可能な状態で周辺の施設の所在地を示している。無線ルータは、公衆回線網であるインターネット４０と無線ＬＡＮとのゲートウェイ装置であり、通信路である無線ＬＡＮを介して携帯端末１０と通信することで、携帯端末１０とインターネット４０との通信を可能にしている。本実施形態では、案内板６０ａは、観光案内所の所在が矢印記号と日本語の記載とで表された標識を示している。
【００１９】
なお、案内板装置２０又は６０に無線ルータを設置する方法としては、例えば、案内板２０ａ又は６０ａを支持する支柱の内部に無線ルータを配置する、無線ルータを設置するためのボックスを設けて支柱や案内板２０ａ又は６０ａ等と一体化し、ボックス内に無線ルータを配置する等の方法がある。
インターネット４０は、インターネット・プロトコル技術を用いて相互接続されたコンピュータネットワークである。
図２は、本実施形態に係る案内板システムの構成を示すブロック図である。
携帯端末１０は、通信Ｉ／Ｆ部１３、記憶部１４、更新部１５、ユーザＩ／Ｆ部１６、画像取得部１７及び撮像部１８を備えている。
【００２０】
通信Ｉ／Ｆ部１３は、無線ＬＡＮ用のインターフェイス・カード等であり、携帯端末１０が案内板装置２０又は６０との通信を行うための通信インターフェイス部の一例である。
【００２１】
記憶部１４は、写真、動画及びＷｅｂページ等のデータと、画像取得部１７及び更新部１５が持つ機能を実現するＯＳ（ＯｐｅｒａｔｉｎｇＳｙｓｔｅｍ）及びアプリケーションプログラム等のプログラムとを保持する不揮発性のメモリであり、対応テーブル１４ａを保持している。
【００２２】
対応テーブル１４ａでは、図３に示されるように、案内板２０ａ又は６０ａの案内図の画像と、ユーザＩ／Ｆ部１６を介して入力された言語と、これらに対応する地図画像を示すＷｅｂページの所在情報であるＵＲＬ（Ｕｎｉｆｏｒｍ  Ｒｅｓｏｕｒｃｅ  Ｌｏｃａｔｏｒ）とが対応付けられている。対応テーブル１４ａでは、例えば、案内図の画像Ａと、英語と、「ｈｔｔｐ／ａａａ…」とが関連付けられている。
【００２３】
ユーザＩ／Ｆ部１６は、ユーザからの指示を受け付けると共にユーザに各種情報を提示するユーザフェイス部つまり入力部及び表示部の一例であり、例えばタッチパッド及び液晶パネル等の表示画面を有するタッチパネルである。
【００２４】
撮像部１８は、携帯端末１０に備えられたデジタルスチルカメラ又はデジタルビデオカメラ等であり、案内板２０ａ及び６０ａの案内図を撮像し、案内板２０ａ及び６０ａの案内図の画像を案内板画像として取得する。
【００２５】
更新部１５及び画像取得部１７は、撮像部１８、ユーザＩ／Ｆ部１６及び通信１／Ｆ部１３を制御するためのＣＰＵ等のプロセッサと、記憶部１４に格納されたプログラムとから構成される。なお、更新部１５及び画像取得部１７の機能を実現するプログラムは、対応テーブル１４ａを記憶する記憶部１４とは別の読み出し専用メモリ等に格納されてもよい。
【００２６】
画像取得部１７は、撮像部１８による案内板２０ａ又は６０ａの撮像結果と、ユーザＩ／Ｆ部１６を介して入力された言語と、記憶部１４の対応テーブル１４ａとに基づいて所定のＵＲＬを抽出する。そして、画像取得部１７は、所定のＵＲＬで示されるＷｅｂページを案内板装置２０又は６０を介してインターネット４０のＷｅｂサーバ等から取得し、ユーザＩ／Ｆ部１６で表示させる。
【００２７】
このとき、画像取得部１７が取得するＷｅｂページは、案内板２０ａ又は６０ａの案内図に表れた情報と案内図に表れていない情報とを含み、案内板２０ａ及び６０ａの案内図とは異なる画像（表示画像）を含む。
【００２８】
具体的に、案内板２０ａの撮像結果に基づいて取得するＷｅｂページは、案内板２０ａの案内図の地図の絵の情報を含むと共に、地図の日本語の文字を日本語とは異なる言語である英語、韓国語、フランス語、ロシア語、ポルトガル語、スペイン語、フランス語、ドイツ語又は中国語等に翻訳した文字の情報を含む地図画像を表示画像として含む。なお、取得するＷｅｂページは、案内板２０ａの案内図の日本語の文字を日本語とは異なる言語に翻訳した文字に置き換えた地図画像を含んでも良いし、案内板２０ａの案内図の日本語の文字とこれを日本語とは異なる言語に翻訳した文字とを併記した地図画像を含んでもよい。
【００２９】
また、案内板６０ａの撮像結果に基づいて取得されるＷｅｂページは、案内板６０ａの案内図の標識が示す施設の所在の情報を含むと共に、その施設以外の周辺の施設の所在に関する情報も含む地図画像を表示画像として含む。つまり、取得するＷｅｂページは、案内板６０ａの案内図の表示態様を標識から地図に置き換えた地図画像を表示画像として含む。
【００３０】
更新部１５は、記憶部１４の対応テーブル１４ａが最新のものとなるように、定期的に、又はユーザＩ／Ｆ部１６を介してユーザからの指示を受けた任意の時期に、インターネット４０と接続して記憶部１４の対応テーブル１４ａを更新する。
【００３１】
更新部１５は、例えば所定のＵＲＬで示され、最新の対応テーブル１４ａを含むＷｅｂページを例えば一定期間毎に取得し、取得したＷｅｂページの対応テーブル１４ａと記憶部１４に格納されている対応テーブル１４ａとを比較する。そして、更新部１５は、取得したＷｅｂページの対応テーブル１４ａと記憶部１４に格納されている対応テーブル１４ａとが異なる場合、記憶部１４に格納されている対応テーブル１４ａを、取得したＷｅｂページの対応テーブル１４ａに置き換える。
次に、本発明の実施形態に係る案内板システムの動作（画像取得部１７による表示画像取得の動作）つまり情報取得方法について、図４〜６を用いて説明する。
【００３２】
図４は、本実施形態に係る案内板システムの動作を説明するためのフローチャートである。図５及び図６は、本実施形態に係る案内板システムの動作を説明するための図である。なお、図５及び図６において、図５（ａ）及び図５（ｃ）〜図５（ｅ）と、図６（ａ）及び図６（ｃ）〜図６（ｅ）とは、携帯端末１０における表示画面の推移を示している。
【００３３】
まず、画像取得部１７は、ユーザＩ／Ｆ部１６の表示画面で所定のアイコンがタッチされたと判定した場合、撮像部１８を起動し、ユーザによる案内板２０ａ又は６０ａの撮像を促す（図４のステップＳ１）。
【００３４】
具体的に、図５（ａ）又は図６（ａ）に示されるように、画像取得部１７は、ユーザＩ／Ｆ部１６の表示画面に表示されている複数のアイコンの中から、「ＡＲ  Ｍａｐ」で示されたアイコンがタッチされると、撮像部１８を起動する。
【００３５】
次に、画像取得部１７は、撮像部１８により案内板２０ａ又は６０ａの案内図の撮像が行われた場合（図４のステップＳ２、図５（ｂ）又は図６（ｂ））、撮像部１８により得られた画像つまり案内板画像が、記憶部１４の対応テーブル１４ａの案内板２０ａ又は６０ａの案内図の画像のいずれかと一致するかマッチングを行う。このマッチング処理は、例えば２つの画像の所定の特徴点が一致するか否かのパターンマッチング等により実現することができる。
【００３６】
次に、画像取得部１７は、案内板画像が、記憶部１４の対応テーブル１４ａの案内板２０ａ又は６０ａの案内図の画像のいずれかと一致すると判定した場合、取得する表示画像をいずれの言語の表示画像とするかを選択する選択画面をユーザＩ／Ｆ部１６の表示画面に表示させる（図４のステップＳ３）。
【００３７】
具体的に、図５（ｃ）又は図６（ｃ）に示されるように、画像取得部１７は、ユーザＩ／Ｆ部１６の表示画面に、「Ｅｎｇｌｉｓｈ」、」「中文」、「日本語」及び「ＤＥＵＴＳＣＨ」で示されたアイコンを表示し、取得する表示画像を英語、中国語、日本語及びドイツ語のいずれの言語で表された表示画像とするかをユーザに確認する。
【００３８】
次に、画像取得部１７は、記憶部１４の対応テーブル１４ａにおいて、案内板画像にマッチングした画像と、ユーザにより選択された言語とに対応付けられたＵＲＬを抽出し、抽出したＵＲＬで示され、表示画像を含むＷｅｂページを、案内板装置２０又は６０を介してインターネット４０から取得する（図４のステップＳ４）。そして、画像取得部１７は、取得したＷｅｂページをユーザＩ／Ｆ部１６の表示画面に表示させる（図４のステップＳ５）。
【００３９】
具体的に、案内板２０ａの案内図の撮像後のステップＳ３で英語が選択された場合、画像取得部１７は、図５（ｄ）に示されるように、英語で表された大阪の地図画像を示すＵＲＬを抽出し、この英語の地図画像をユーザＩ／Ｆ部１６の表示画面に表示させる。また、案内板６０ａの案内図の撮像後のステップＳ３で英語が選択された場合、画像取得部１７は、図６（ｄ）に示されるように、観光案内所を「Ｈｅｒｅ」として示す英語の地図画像を示すＵＲＬを抽出し、この英語の地図画像をユーザＩ／Ｆ部１６の表示画面に表示させる。
【００４０】
次に、画像取得部１７は、Ｗｅｂページを表示させたユーザＩ／Ｆ部１６の表示画面において、所定の施設が選択された場合（図４のステップＳ６）、その施設の詳細な情報をインターネット４０のＷｅｂサーバ等から取得し、ユーザＩ／Ｆ部１６の表示画面に表示させる（図４のステップＳ７）。
【００４１】
具体的に、図５（ｄ）に示される表示画面において、「Ｏｓａｋａ  Ｓｔａｔｉｏｎ」が選択された場合、図５（ｅ）に示されるように、「Ｏｓａｋａ  Ｓｔａｔｉｏｎ」の詳細な情報をユーザＩ／Ｆ部１６の表示画面に表示させる。また、図６（ｄ）に示される表示画面において、「Ｔｏｕｒｉｓｔ  Ｉｎｆｏｍａｔｉｏｎ  Ｃｅｎｔｅｒ」が選択された場合、図６（ｅ）に示されるように、「Ｔｏｕｒｉｓｔ  Ｉｎｆｏｍａｔｉｏｎ  Ｃｅｎｔｅｒ」の詳細な情報をユーザＩ／Ｆ部１６の表示画面に表示させる。
【００４２】
以上のように本実施形態の携帯端末１０は、案内図が表された案内板２０ａ又は６０ａを有し、インターネット４０に接続された案内板装置２０又は６０と通信可能な携帯端末である。そして、携帯端末１０は、案内図を撮像し、案内図の画像を案内板画像として取得する撮像部１８と、案内板装置２０又は６０を介して、案内板画像に対応付けられたＵＲＬから、案内図に表れた情報と案内図に表れていない情報とを含む、案内図とは異なる画像を表示画像として取得する画像取得部１７と、画像取得部１７により取得された表示画像を表示するユーザＩ／Ｆ部１６とを備える。
【００４３】
ここで、本実施形態の携帯端末１０は、さらに、案内板画像と、ＵＲＬとが関連付けられた対応テーブル１４ａを保持する記憶部１４を備え、画像取得部１７は、対応テーブル１４ａに基づいて、撮像部１８により得られた案内板画像に対応付けられたＵＲＬから表示画像を取得する。
【００４４】
このような構成により、従来の電子案内板システムのように案内図に表されていない情報が案内図の座標に対応付けられておらず、利便性に優れた案内板装置を実現することができる。例えば、案内図の表示と表示画像を同じグラフィックテイストとすることで、利便性に優れた案内板装置を実現することができる。
【００４５】
また、表示画像はインターネット４０のＷｅｂサーバ等に保持されるため、案内板画像に対応付ける表示像を変更することが容易であり、また表示画像のサイズについて制限も小さく、提供する情報について自由度の高い案内板装置を実現することができる。
【００４６】
また、従来の電子案内板システムのように案内板装置に対して複雑な構成が必要とされず、単に無線ルータを備えるものを容易すればよいだけなので、安価な案内板装置を実現することができる。
【００４７】
また、本実施形態の携帯端末１０では、ユーザＩ／Ｆ部１６は、表示する表示画像における文字をいずれの言語とするかの入力を受け付ける。そして、携帯端末１０は、さらに、案内板画像と、言語と、ＵＲＬとが関連付けられた対応テーブル１４ａを保持する記憶部１４を備え、画像取得部１７は、対応テーブル１４ａに基づいて、ユーザＩ／Ｆ部１６により入力された言語と、案内板画像とに対応付けられたＵＲＬとから表示画像を取得する。
【００４８】
このような構成により、表示画像の表示言語を選択することができ、さらに利便性に優れた案内板装置を実現することができる。また、案内板に記載の言語を母国語としない旅行者に対しても案内機能を発揮することが可能な案内板装置を実現することができる。
【００４９】
また、本実施形態の情報取得方法は、案内図が表された案内板２０ａ又は６０ａを有し、インターネット４０に接続された案内板装置２０又は６０と通信可能な携帯端末１０による情報取得方法である。そして、情報取得方法は、案内図を撮像し、案内図の画像を案内板画像として取得する撮像ステップ（ステップＳ２）と、案内板装置２０又は６０を介して、案内板画像に対応付けられたＵＲＬから、案内図に表れた情報と案内図に表れていない情報とを含む、案内図とは異なる画像を表示画像として取得する画像取得ステップ（ステップＳ４）と、画像取得ステップで取得された表示画像を表示する表示ステップ（ステップＳ５）とを含む。
【００５０】
ここで、本実施形態の情報取得方法は、画像取得ステップ（ステップＳ５）では、案内板画像と、ＵＲＬとが関連付けられた対応テーブ１４ａルに基づいて、撮像ステップ（ステップＳ２）で得られた案内板画像に対応付けられたＵＲＬから表示画像を取得する。
このような構成により、利便性に優れた案内板装置を実現することができる。
【００５１】
また、本実施形態の情報取得方法は、さらに、表示する表示画像における文字をいずれの言語とするかの入力を受け付ける受け付けステップ（ステップＳ３）を含む。そして、画像取得ステップ（ステップＳ５）では、案内板画像と、言語と、ＵＲＬとが関連付けられた対応テーブル１４ａに基づいて、受け付けステップ（ステップＳ３）において入力された言語と、案内板画像とに対応付けられたＵＲＬから表示画像を取得する。
このような構成により、表示画像の表示言語を選択することができ、さらに利便性に優れた案内板装置を実現することができる。
また、本実施形態のプログラムは、上記情報取得方法の各ステップをコンピュータに実行させる。
【００５２】
以上、本発明の携帯端末、情報取得方法及びプログラムについて、実施形態に基づいて説明したが、本発明は、この実施形態に限定されるものではない。本発明の要旨を逸脱しない範囲内で当業者が思いつく各種変形を施したものも本発明の範囲内に含まれる。
【００５３】
例えば、上記実施形態において、画像取得部は、案内図の表示態様又は表示言語が変更された地図画像をインターネットから取得するとした。しかし、画像取得部は、案内図に表れた情報と案内図に表れていない情報とを含む、案内図とは異なる画像を取得すればこれに限られず、例えば案内図を３次元的に表した画像又は案内図に架空の地名を付した画像をインターネットから取得してもよい。
【００５４】
また、上記実施形態において、記憶部の対応テーブルではＵＲＬ及び案内板画像に言語が対応付けられるとしたが、携帯端末による表示画像の提示を常に日本語により行う場合には、言語は対応付けられなくてもよい。この場合、画像取得部は、対応テーブルで単に案内板画像に対応付けられたＵＲＬを抽出し、抽出したＵＲＬで示されるＷｅｂページをインターネットから取得する。
【００５５】
また、上記実施形態において、更新部は、取得した新たな対応テーブルと、既に格納されている対応テーブルとの比較結果に基づき、対応テーブルの更新を行うか否かを決定するとしたが、比較を行うことなく取得した新たな対応テーブルに更新してもよい。
【００５６】
また、上記実施形態において、表示部及び入力部がユーザＩ／Ｆ部として一体化されるとしたが、別々に設けられてもよい。この場合、表示部が画像取得部により取得された表示画像を表示する。
【００５７】
また、上記実施形態において、携帯端末が記憶部に対応テーブルを保持し、案内板画像と対応テーブルの画像とのマッチングと、対応テーブルにおいて案内板画像に対応する表示画像の取得とを行うとした。
【００５８】
しかし、所定の案内板装置又はインターネットのコンピュータが対応テーブルを保持し、携帯端末から案内板画像の送信を受けて、送信された案内板画像と対応テーブルの画像とのマッチングと、対応テーブルで案内板画像に対応する表示画像の取得とを行い、取得した表示画像を携帯端末に送信してもよい。このような構成の場合、例えば所定の案内板装置又はインターネットのコンピュータが対応テーブルを保持する記憶部と、携帯端末から案内板画像の送信を受けて、送信された案内板画像と対応テーブルの画像とのマッチングと、対応テーブルで案内板画像に対応する表示画像の取得とを行い、取得した表示画像を携帯端末に送信する画像取得部とを備え、携帯端末の画像取得部は、案内板画像を所定の案内板装置又はインターネットのコンピュータに送信し、インターネットから表示画像を取得して表示画面上に表示させる。
【００５９】
また、所定の案内板装置又はインターネットのコンピュータが対応テーブルを保持し、携帯端末から案内板画像の送信を受けて、送信された案内板画像と対応テーブルの画像とのマッチングと、対応テーブルで案内板画像に対応するＵＲＬの抽出とを行い、取得したＵＲＬを携帯端末に送信してもよい。このような構成の場合、例えば所定の案内板装置又はインターネットのコンピュータが対応テーブルを保持する記憶部と、携帯端末から案内板画像の送信を受けて、送信された案内板画像と対応テーブルの画像とのマッチングと、対応テーブルで案内板画像に対応するＵＲＬの抽出とを行い、取得したＵＲＬを携帯端末に送信する画像取得部とを備え、携帯端末の画像取得部は、案内板画像を所定の案内板装置又はインターネットのサーバに送信し、所定の案内板装置又はインターネットのサーバからＵＲＬを受信し、受信したＵＲＬで示され、表示画像を含むＷｅｂページを取得し、Ｗｅｂページの表示画像を表示画面に表示させる。
【００６０】
また、上記実施形態において、案内板装置は、案内機能のみを有する構成であるとしたが、他の機能、例えば柵機能、照明機能又はベンチ機能を有するストリートファニチュア（街路備品）に案内機能が付加されたものであってもよい。つまり、案内板装置は、案内図が表面に描かれた、又は案内板が取り付けられた、柵、ベンチ、フラッグポール及び照明塔等のストリートファニチュアであってもよい。
【００６１】
また、上記実施形態において、案内板装置には、無線ルータが設けられるとしたが、無線ルータは案内板装置から離れた別の場所に設置され、案内板装置には、別の場所の無線ルータからの電波を受信して発信する、又は携帯端末からの電波を受信して発信する中継器が設けられてもよい。
【産業上の利用可能性】
【００６２】
本発明は、案内板装置の案内板の案内図の画像に基づいて携帯端末に画像を表示させる携帯端末、情報取得方法及びプログラム等において広く利用することができる。
【符号の説明】
【００６３】
１０    携帯端末
１３    通信Ｉ／Ｆ部
１４    記憶部
１４ａ    対応テーブル
１５    更新部
１６    ユーザＩ／Ｆ部
１７    画像取得部
１８    撮像部
２０、６０    案内板装置
２０ａ、６０ａ    案内板
４０    インターネット
【図１】
2015177203.tif 000003
【図２】
2015177203.tif 000004
【図３】
2015177203.tif 000005
【図４】
2015177203.tif 000006
【図５】
2015177203.tif 000007
【図６】
2015177203.tif 000008